(57)【要約】【課題】挟持部を有する折収可能なフック構造の提供。【解決手段】本構造は、互いに蓋結する底座と蓋体が、内部で凹設された両段挟槽により、掛棒一端を挟合枢結してなり、蓋体は、両掛棒が下端角度を次第に縮小してゆく挟持導槽を有し、更に、挟槽横向段に枢結された支承素子を有する。底座と蓋体は挟合して、掛棒は両導槽の引導枢転で下向きになり、導槽底部に抵接し、両掛棒は強固な挟持効果を形成して、物品を吊るすとき安定した挟持効果を提供する。また、物品を挟持しない時、掛棒を上向けに折収でき、空間を占有しない。【選択図】    図２
0003125084.tif 000002
【実用新案登録請求の範囲】
【請求項１】
挟持部を有する折収可能なフック構造であって、
表面の凸階に両挟槽を設置し、前記両挟槽の縦向段の間に縦向け扁槽を有する底座と、
内壁の凸階に両挟槽を有し、前記挟槽上段に挟持導槽を形成し、前記両挟持導槽の間に縦向扁槽を有する蓋体と、
T字型の片体構造で、横向片両端が外向け開口を有する槽を形成し、もう一端が枢結端である支承素子と、
一端が彎折した枢結段の棒体で、もう一端は挟持段を有する両掛棒と、
からなり、
前記蓋体と前記底座が蓋結する時、凸階の挟槽により両掛棒の枢結段の挟持枢結を提供し、前記支承素子の枢結端は縦向扁槽に挟持され、横向片両端槽により両掛棒係組を提供し、前記底座を挟槽底部に滑組し、導槽を挟持して、両掛棒を引導して下向けに枢転して前記挟持導槽底部に固定され、物品の挟持を提供することを特徴とする挟持部を有する折収可能なフック構造。
【請求項２】
前記底座と前記蓋体の両挟槽は、凸階表面に両L字状の槽体を有し、前記蓋体の挟持導槽は、前記底座挟槽の縦向段に対し、下端角度が次第に縮小する斜槽構造をなし、両掛棒を下に引導する時、両掛棒は、相対した挟持効果を形成することを特徴とする請求項１に記載の挟持部を有する折収可能なフック構造。
【請求項３】
前記底座と前記蓋体の凸階が設ける縦向扁槽下端は連通する挟槽横向段を貫穿し、前記支承素子はT字状片構造で、両側各凸体を枢結し、両挟槽中間から横向段を貫通して、両掛棒の間の組み合わせ者の挟持することを特徴とする請求項２に記載の挟持部を有する折収可能なフック構造。
【考案の詳細な説明】
【技術分野】
【０００１】
本考案は 展収操作が円滑で、折収可能なフック構造に関する。
【背景技術】
【０００２】
図１は公知の折収可能なフックの立体図であり、フック１０は底座１１から彎曲挟持段１２１を有する交差状の挟棒１２が延伸し、また、両挟棒１２の交差位置は束合素子１３が結合され、両挟棒１２は枢転して折収ができる。更に、下向けに展開する時、束合素子１３の固定により、両挟棒１２外端の両彎曲挟持段１２１は相対して圧縮し、図中で示されるような金槌６０に提供される。
【０００３】
上述のフック１０は、束合素子１３の両挟棒１２に対する制限で形成された挟持作用により、展収操作中、束合素子１３と両挟棒１２の干渉が生じやすく、操作が円滑に行われないことが欠点である。
【０００４】
更に、束合素子１３の内部と両挟棒１２間に多くの遊び空間を有し、両挟棒の挟持作用が不確実で、容易に緩脱することが二つ目の欠点である。
【０００５】
よって、公知の固定構造恩フックが円滑に操作できず、強固に挟固できない欠点に対し改善を加えることが必要である。
【考案の開示】
【考案が解決しようとする課題】
【０００６】
本考案は、展収操作が円滑で、折収可能なフック構造を提供し、挟持する両掛棒は導槽の引導下で、展収操作が円滑に行われるようにすることを主な目的とする。
【０００７】
本考案は、展収操作が円滑で、折収可能なフック構造を提供し、その両掛棒は導槽を挟持することにより下端角度を次第に縮小し、両掛棒を引導して、展開時、更に緊密に固定する効果を形成することをもう一つの目的とする。
【課題を解決するための手段】
【０００８】
本考案の展収操作が円滑で、折収可能なフック構造は、底座、蓋体、支承素子、両掛棒、からなる。
【考案の効果】
【０００９】
本考案のフック構造により、物品の挟持が安定し、不使用時には折収でき、空間を占有しない。
【考案を実施するための最良の形態】
【００１０】
図２は本考案の立体分解図であり、底座２０、蓋体３０、支承素子４０、両掛棒５０、からなる。
【００１１】
底座２０は、表面の凸階２１上に両L字の挟槽２２を設置する。挟槽２２の横向段は互いに連通する。両挟槽２２の縦向段の間に縦向けの扁槽２３を有し、横向段を貫穿する。凸階２１上に両定位凸柱２４を凸設し、凸階２１両側と下側は、三個のねじ柱２５を設ける。
【００１２】
蓋体３０は、周縁側壁３６と底座２０が相対形状の蓋体構造で、その内側に表面に両L字状の挟槽３２を有する凸階３１を凸設する。挟槽３２の縦向段に挟持導槽３７を有し、両挟持導槽３７の間に縦向けの扁槽３３を有し、両挟槽３２が連通する横向段を貫穿する。凸階３１上に両定位凸柱２４と相対する定位挿孔３４を凹設し、凸階３１周辺は三個のねじ柱３５を設ける。
【００１３】
支承素子４０は、T字型の片体構造で、縦向片４１で末端両側に凸体４２を枢結し、横向片両端に両開口が外向きの槽４３を有する。
【００１４】
両掛棒５０は、一端が彎折した枢結段５１の棒体で、もう一端はゲル被覆されて、彎曲する挟持段５２を彎折し、外端は外折段５３を有する。
【００１５】
上述のような素子により、両掛棒５０は、枢結段５１を底座２０と蓋体３０の挟槽２２、３２の横向段に置き、支承素子４０は、縦向片４１を縦向け扁槽２３、３３に置き、両側の凸体４２により両挟槽中間から横向段を貫通して、両掛棒の間に枢結され、両掛棒５０外段は支承素子４０の横向片の両槽４３に係入され、更に、蓋体３０と座体２０を結合して、ねじ柱２５、３５がねじAとナットBにより鎖結され、図３で示されるような本考案の構造が完成する。
【００１６】
図３中、底座２０上下側辺を壁に嵌合して、挟槽８０で滑組され、両掛棒５０外段は導槽３７下端で固定される。縦向扁槽２３，３３下端はT字型の支承素子４０の横向片の両端槽４３により支承を補助し、外端は挟持段５２により、金槌６０や刷毛７０を挟掛することができる。
【００１７】
図４〜図６は、本考案の構造の操作を示す図である。底座２０上下側辺が挟槽８０に滑組される時、図４、図５で示されるように、両掛棒５０から下向けで、挟持導槽３７の展開状態で物品の挟持を提供する時、両挟持導槽３７は下端角度を次第に縮小した構造をなし、図５の矢印で示されるように、両掛棒５０を引導して展開時に互いに寄りかかり、図６で示されるように、物品６０などを挟掛し、強固に固定される。
【００１８】
図５、図６中、両掛棒５０外段は、枢結された支承素子４０により槽４３を結合し、両掛棒５０に対し支承補助をなして、物品に対する負荷を増加する。両掛棒５０は支承素子４０の槽４３の長さ内で引導され、両挟持導槽３７は相対して滑移する。異なる大きさの物品に対し、図６で示されるような挟固作用を生成する。掛棒５０は物品を掛けないとき、図４の矢印で示されるように、両掛棒５０を上げて定位し、空間を占有しない。
【図面の簡単な説明】
【００１９】
【図１】公知のフックの立体図である。
【図２】本考案の立体分解図である。
【図３】本考案の立体組み合わせ図である。
【図４】本考案の掛棒の外展開時の側視断面図である。
【図５】本考案の掛棒の外展開時の前視断面図である。
【図６】本考案の掛棒の外展開時の異なる物品を挟持する上視図である。
【符号の説明】
【００２０】
１０  フック
１２  挟棒
１３  束合素子
１１、２０  底座
２１、３１  凸階
２２、３２、８０  挟槽
２３、３３  縦向扁槽
２４  定位凸柱
２５、３５  ねじ柱
３０  蓋体
３４  定位挿孔
３６  周縁側壁
３７  挟持導槽
４０  支承素子
４１  縦向片
４２  枢結凸体
４３  槽
５０  掛棒
５１  枢結段
１２１、５２  挟持段
５３  外折段
A  ねじ
B  ナット
６０  金槌
７０  刷毛
【図１】
0003125084.tif 000003
【図２】
0003125084.tif 000004
【図３】
0003125084.tif 000005
【図４】
0003125084.tif 000006
【図５】
0003125084.tif 000007
【図６】
0003125084.tif 000008